(57)【特許請求の範囲】
【請求項１】
交換センター（ＧＭＳＣ、ＭＳＣ）と、移動通信ネットワークに登録された移動局（ＭＳ）の加入者データの永久的な記憶用のホーム位置レジスタ（ＨＬＲ）と、少なくとも１つのビジター位置レジスタ（ＶＬＲ）とを備えた前記移動通信ネットワークであって、前記少なくとも１つのビジター位置レジスタ（ＶＬＲ）は、該ビジター位置レジスタによって監視される地理的な領域に位置する移動局（ＭＳ）の加入者データの一時的な記憶用のものである、前記移動通信ネットワークにおいて、発呼加入者の識別情報を被呼加入者へ伝送する方法であって、
該方法は、前記交換センター（ＧＭＳＣ、ＭＳＣ）と前記レジスタ（ＨＬＲ、ＶＬＲ）との間でシグナリングを伝送し、前記ホーム位置レジスタ（ＨＬＲ）は前記被呼加入者に対して呼が伝送されたことの表示を受け取るものであり、
前記被呼加入者の前記ホーム位置レジスタ（ＨＬＲ）は、前記発呼加入者の識別情報を受け取り、
前記被呼加入者の前記ホーム位置レジスタは、経路情報の要求に関連して、前記被呼加入者にサービスを提供する前記ビジター位置レジスタ（ＶＬＲ）に、前記発呼加入者の識別情報を伝送し、
前記被呼加入者にサービスを提供する前記ビジター位置レジスタは、前記被呼加入者にサービスを提供する前記交換センター（ＭＳＣ）に、前記発呼加入者の識別情報を伝送し、
前記被呼加入者にサービスを提供する前記交換センター（ＭＳＣ）は、前記被呼加入者に、前記発呼加入者の識別情報を伝送する、
ことを特徴とする方法。
【請求項２】
前記経路情報の要求は、マッププロバイド＿ローミング＿ナンバーメッセージである請求項１に記載の方法。
【請求項３】
前記発呼加入者と前記被呼加入者が異なるネットワークに存在する場合、前記被呼加入者にサービスを提供する前記ビジター位置レジスタは、前記被呼加入者にサービスを提供する前記交換センター（ＭＳＣ）に、ゲートウェイ交換センター（ＧＭＳＣ）を経由して前記発呼加入者の識別情報を伝送する請求項１又は２に記載の方法。
【請求項４】
移動通信ネットワークのためのホーム位置レジスタ（ＨＬＲ）であって、該移動通信ネットワークは、前記ホーム位置レジスタ（ＨＬＲ）に加え、交換センター（ＧＭＳＣ、ＭＳＣ）とビジター位置レジスタ（ＶＬＲ）をも備えており、
前記ホーム位置レジスタ（ＨＬＲ）は、
発呼加入者の識別情報を受け取り、
経路情報の要求に関連して、前記被呼加入者にサービスを提供する前記ビジター位置レジスタ（ＶＬＲ）に、前記被呼加入者にサービスを提供する交換センター（ＭＳＣ）を経由して前記被呼加入者へ送られるべき前記発呼加入者の識別情報を伝送する、
ことを特徴とするホーム位置レジスタ。
【請求項５】
移動通信ネットワークのためのネットワーク構成要素であって、該ネットワーク構成要素は、経路情報の要求を受け取るようになっており、また、該ネットワーク構成要素は、
前記経路情報の要求に含まれる発呼加入者の識別情報を受け取り、
前記被呼加入者へ送られるべき前記発呼加入者の識別情報を、前記被呼加入者にサービスを提供する前記交換センターへ伝送する、
ことを特徴とするネットワーク構成要素。
【請求項６】
前記ネットワーク構成要素は、ビジター位置レジスタ（ＶＬＲ）である請求項５に記載のネットワーク構成要素。
【請求項７】
前記ネットワーク構成要素は、ホーム位置レジスタ（ＨＬＲ）から前記経路情報の要求を受け取るようになっている請求項５又は６に記載のネットワーク構成要素。
【請求項８】
前記経路情報の要求は、マッププロバイド＿ローミング＿ナンバーメッセージである請求項５乃至７のいずれかに記載のネットワーク構成要素。
【請求項９】
前記被呼加入者は移動先のネットワークに位置する請求項５乃至８のいずれかに記載のネットワーク構成要素。
【請求項１０】
移動通信ネットワークのためのネットワーク構成要素において、
前記ネットワーク構成要素は、発呼加入者の識別情報を受け取り、且つ、経路情報の要求を送信するようになっており、
前記経路情報の要求に含まれる、前記被呼加入者へ送られるべき前記発呼加入者の識別情報を、前記被呼加入者にサービスを提供する交換センターへ伝送する、ことを特徴とするネットワーク構成要素。
【請求項１１】
前記ネットワーク構成要素はホーム位置レジスタ（ＨＬＲ）である請求項１０に記載のネットワーク構成要素。
【請求項１２】
前記経路情報の要求は、マッププロバイド＿ローミング＿ナンバーメッセージである請求項１０又は１１に記載のネットワーク構成要素。
【発明の詳細な説明】
発明の分野
本発明は、移動通信システムにおいて、発呼加入者（加入者Ａ）の識別情報を被呼者（加入者Ｂ）へ伝送する方法に関する。その移動通信システムは、ネットワークに登録された移動局に関する加入者データの永久的な記憶用のホーム位置レジスタ、及び、ビジター位置レジスタによって監視される地理的な領域に位置する移動局に関する加入者データの一時的な記憶用の少なくとも１つのビジター位置レジスタを備えており、それによって、通話接続に関係しないシグナリング（信号のやり取り）は移動通信システムの交換センターとレジスタ間で伝送される。
本発明は更に、ネットワークに登録された移動局に関する加入者データの永久的な記憶用のホーム位置レジスタ、及び、ビジター位置レジスタによって監視される地理的な領域に位置する移動局に関する加入者データの一時的な記憶用の少なくとも１つのビジター位置レジスタを備える移動通信システムに関する。通話接続に関係しないシグナリングは、移動通信システムの交換センターとレジスタ間で伝送される。
発明の背景
一般的に、現行の移動通信システムによって提供されるサービスは、呼確立の間の、被呼加入者（加入者Ｂ）への発呼加入者（加入者Ａ）の識別情報の通知である。これによって、通話の前に、加入者Ｂは発呼者を識別できるようになる。
添付図の図１は、ＧＳＭ−方式の移動通信システムにおいて、呼確立を終結させている移動電話ＭＳBを図示する。図は単に、呼確立のシグナリングに関する限りにおいて、問題となるネットワークの構成要素を示す。ポイント１で、加入者Ａによって開始された呼は、加入者Ａのネットワーク（例えば、移動通信システムＰＬＭＮもしくは公衆電話網ＰＳＴＮ）から加入者ＢのＰＬＭＮホームネットワークのゲートウェイＭＳＣ（ＧＭＳＣ）へ伝送される。ＧＭＳＣは、経路情報に関する問い合わせ（メッセージ２）を加入者Ｂのホーム位置レジスタＨＬＲへ伝送する。移動局ＭＳに関する加入者データは、永久的には、ホーム位置レジスタＨＬＲに記憶され、一時的には、移動局ＭＳが位置している領域のビジター位置レジスタＶＬＲに記憶される。位置の更新の間に、加入者Ｂが位置している領域のビジター位置レジスタＶＬＲに関する情報は、加入者Ｂのホーム位置レジスタＨＬＲへ与えられる。図１の例において、加入者Ｂは別の移動通信ネットワークＰＬＭＮに位置している。ポイント３で、ホーム位置レジスタＨＬＲは、移動先のＰＬＭＮネットワークへのローミング番号要求を加入者Ｂのビジター位置レジスタＶＬＲへ伝送する。ビジター位置レジスタＶＬＲは移動局ローミング番号（ＭＳＲＮ）を保有し、回答メッセージ４でホーム位置レジスタＨＬＲへその番号を伝送する。ホーム位置レジスタＨＬＲは、メッセージ５でローミング番号を、経路情報に関して問い合わせたホームＰＬＭＮのＧＭＳＣへ伝送する。もし必要であれば伝送トランジット網を経由して、図１のように確立メッセージ６で、ローミング番号に基づいて、ＧＭＳＣは、呼を移動先のＰＬＭＮネットワークの加入者Ｂの移動サービス交換センターＭＳＣへ伝送する。加入者Ａの識別情報に関する情報は、呼確立メッセージ６の発呼ライン識別情報（ＣＬＩ）フィールドで加入者Ｂへ伝送される。上記の種類の発呼加入者の識別情報の伝送は、必ず成功するとは限らない。例えば、図１のように、加入者Ｂが別のＰＬＭＮの領域に位置する場合である。異なるネットワーク間で、呼確立は可能であるけれども、全てのネットワークが、発呼加入者の識別情報の伝送で使用されるネットワークシグナリングをサポートしているわけではない。このような場合には、ＧＳＭ０２．８１勧告の１．４条（バージョン４．４．１）に従って、被呼加入者は、ＣＬＩが有効でないと通知される。
発明の概要
本発明の目的は、例えば、加入者Ｂが別のネットワーク領域に位置しているといった理由のために、たとえ呼確立が発呼加入者の識別情報の伝送をサポートしていなくても、加入者Ｂへの発呼加入者の識別情報の伝送を可能にすることである。
この新しい種類の加入者Ａの識別情報の伝送は本発明の方法で実施され、その方法は、通話接続に関係しないシグナリングによって、加入者Ａの識別情報が加入者Ｂの移動サービス交換センターへ伝送されることを特徴とする。
本発明は更に冒頭文に記述される移動通信システムに関し、その移動通信システムは、本発明に従って、通話接続に関係しないシグナリングによって、加入者Ａの識別情報を加入者Ｂの移動サービス交換センターへ伝送するように構成されていることを特徴とする。
本発明は、加入者の識別情報が、移動通信システムの交換センターとレジスタ間のシグナリングトラフィックで伝送されるという思想に基づいており、その情報は、呼が確立される前に伝送されるのが好ましい。
加入者Ａの識別情報の伝送のこのような方法の有利な点は、呼確立に使用されるネットワークのシグナリングプロトコルに関係なく、加入者Ａの識別情報を加入者Ｂへ伝送することができるということである。
本発明の更に有利な点は、加入者Ａの識別情報を、例えば、海外のような別のネットワーク領域の加入者Ｂへ伝送することができるということである。
【図面の簡単な説明】
以下に、添付図を参照して、本発明をより詳細に説明する。
図１はＧＳＭシステムにおける呼確立を図示する。
図２は本発明の方法に従う加入者Ａの識別情報ＣＬＩの伝送を示す。
発明の詳細な説明
本発明は全ての移動通信システムに適用可能である。例で、パン−ヨーロピアンデジタル移動通信システムＧＳＭに関連して、以下に本発明を説明する。ＧＳＭシステムのより詳細な説明については、ＧＳＭ勧告及び出版物「移動通信のためのＧＳＭシステム（The GSM System for Mobile Communications）」M.Mouly & M.Pautet, Palaiseau, France, 1992, ISBN:2-9507190-0-7を参照されたい。
図１は、先に最新技術の呼確立に関して説明した呼確立に関するシグナリングを図示する。以下では、図１を参照して好ましい実施態様で本発明をより詳細に説明する。この実施態様では、加入者Ａの識別情報の伝送は図１のメッセージ３に関連している。ＧＳＭシステムのＭＡＰシグナリングを使用して、ホーム位置レジスタＨＬＲは、プロバイド＿ローミング＿ナンバーメッセージによるローミング番号要求をビジター位置レジスタＶＬＲへ伝送する。好ましい実施態様では、例えば、電話番号もしくはＩＳＤＮ番号といった発呼加入者の識別情報をプロバイド＿ローミング＿ナンバーメッセージに付加し、こうして、加入者Ａの識別を可能にする。図１の他のメッセージについて、本発明の方法を使用する移動通信システムにおける呼確立は、上記に説明した最新技術と同じである。
図２は本発明の好ましい実施態様に従う呼確立中のＣＬＩの伝送を図示する。呼を開始する時、発呼加入者（加入者Ａ）は自分の識別情報を明示する。ポイント１で、それ自体は既知である方法で、加入者ＢのＰＬＭＮホームネットワークを経由して、この情報をＧＭＳＣへ伝送する。ポイント２で、ＧＭＳＣは、例えば、経路情報に関する問い合わせに関して、ＣＬＩを加入者Ｂのホーム位置レジスタＨＬＲへ伝送する。本発明に従って、ポイント３で、ローミング番号要求のプロバイド＿ローミング＿ナンバーメッセージは、ＣＬＩをホーム位置レジスタＨＬＲからビジター位置レジスタＶＬＲへ伝送する。そのビジター位置レジスタＶＬＲはＣＬＩを記憶する。従来技術に従って、ビジター位置レジスタＶＬＲは、ローミング番号ＭＳＲＮを呼に割り当て、そのローミング番号をホーム位置レジスタＨＬＲへ伝送することによって、ローミング番号要求に回答する（ポイント４）。ホーム位置レジスタＨＬＲは、呼の伝送経路決定のためにローミング番号をＧＭＳＣへ伝送する（ポイント５）。一度、確立メッセージ６が、恐らく公衆電話網もしくは別のトランジット網を経由して、ＧＭＳＣから移動先であるＰＬＭＮネットワークの加入者Ｂの移動サービス交換センターＭＳＣへ到達すると、ＭＳＣは加入者データについてビジター位置レジスタＶＬＲへ問い合わせ、その回答の他の情報の中から加入者Ａの識別情報を受け取る。ＭＳＣは、それ自体は既知である方法で、加入者Ａの識別情報を加入者Ｂへ伝送する。
呼確立を加入者ＢのホームネットワークのＧＭＳＣを経由して実施する場合について、図１及び図２を参照して例で、本発明を上記に説明した。加入者Ａが加入者Ｂのホーム位置レジスタＨＬＲと同一のネットワークに位置する時、その呼は加入者ＢのＧＭＳＣを経由して伝送される必要はない。また、もし加入者Ａの交換センターもしくは加入者ＡのネットワークのゲートウェイＭＳＣが加入者Ｂのホーム位置レジスタと直接通信する機能を有するならば、図１のＧＭＳＣは必要無い。この場合には、加入者Ａによって開始された呼はＧＭＳＣへ伝送される必要は無いが、代わりに、例えば、移動サービス交換センターといった加入者Ａの交換センターもしくは加入者ＡのネットワークのゲートウェイＭＳＣが、経路の問い合わせを、直接、加入者Ｂのホーム位置レジスタＨＬＲへ伝送する（図１のメッセージ２’）。本発明の上記の実施態様に従って、メッセージ３で、加入者Ａの識別情報を伝送することによって、ホーム位置レジスタＨＬＲはローミング番号要求をビジター位置レジスタＶＬＲへ伝送する。回答メッセージ４では、ホーム位置レジスタＨＬＲは、上記で説明された確立シグナリングに従って、ローミング番号ＭＳＲＮを取得する。ホーム位置レジスタＨＬＲは、図１のメッセージ５’で、ビジター位置レジスタＶＬＲによって保有されているローミング番号ＭＳＲＮを加入者Ａの交換センターもしくは加入者ＡのネットワークゲートウェイＭＳＣへ伝送する。このメッセージを受け取った後、加入者Ａの交換センターもしくはネットワークゲートウェイＭＳＣは、その呼を加入者Ｂの移動サービス交換センターへ恐らくトランジット網を経由して伝送する。
加入者Ａと加入者Ｂの両者が加入者ＢのホームＰＬＭＮに位置する時にも、本発明に従う加入者Ａの識別情報の伝送はやはり適用可能である。本発明の方法を使用するのに事前に必要な条件は、ＣＬＩが加入者Ｂのホーム位置レジスタＨＬＲへ伝送されていることである。
ここに記載した図及び説明は、単に本発明の思想を示すことを意図している。本発明の加入者Ａの識別情報を伝送するための移動通信システム及び方法の詳細は、請求の範囲内で変更しても良い。上記に、本発明を主にＭＡＰシグナリングに関して説明したけれども、移動通信システムの移動サービス交換センターとレジスタ間の他の種類のシグナリングを使用して、この方法を実施することも可能である。
【図１】
0003830530.tif 000002
【図２】
0003830530.tif 000003